(57)【要約】【課題】一般購買者等でも、自力で十分にドア錠装置のドア体への取り付けができるようにしたドア錠装置の包装用基体、および包装体の提供を目的とする。【解決手段】取付対象であるドア体１の室内側壁面１ａへの対応壁２と室外側壁面１ｂへの対応壁３とを有して内部を目視可能な中空矩形筒部４を有し、  前記各対応壁２、３には、錠本体５及び錠本体５の操作部材等の部品６をドア体１への固定状態で脱離可能に装着する装着部７を形成してドア錠装置の包装用基体８を構成する。【選択図】  図１
2005336960.tif 000002
【特許請求の範囲】
【請求項１】
取付対象であるドア体の室内側壁面への対応壁と室外側壁面への対応壁とを有して内部を目視可能な中空矩形筒部を有し、
前記各対応壁には、錠本体及び錠本体の操作部材等の部品をドア体への固定状態で脱離可能に装着する装着部が形成されるドア錠装置の包装用基体。
【請求項２】
外表面に、ドア体への組み付け順序に対応する部品の取り外し順序を表示するガイド表記が付される請求項１記載のドア錠装置の包装用基体。
【請求項３】
前記装着部に脱離可能に部品を固定した請求項１または２記載のドア錠装置の包装用基体を被包材により包装した包装体。
【発明の詳細な説明】
【技術分野】
【０００１】
本発明はドア錠装置の包装用基体、および包装体に関するものである。
【背景技術】
【０００２】
一般にドア錠装置は、特許文献１に記載のように、ドア体の壁面、あるいはドア体内に固定される錠本体と、この錠本体のデッドボルトを室外、あるいは室内から操作するためのハンドル等の操作部材とからなり、例えば、個別に包装された各構造部品を箱詰め等した状態で運搬、販売がなされる。
【特許文献１】特開２００１-４９９１２
【発明の開示】
【発明が解決しようとする課題】
【０００３】
ところで、この種の錠の交換は、取り付けに対する専門知識を有する工務店等により従来行われてきたが、近時のＤＩＹ（Ｄｏ  Ｉｔ  Ｙｏｕｒｓｅｌｆ）の普及により、ドア錠装置を購入した一般ユーザによる交換、取り付けが行われるに至っている。かかる事情を考慮して、ドア錠装置の販売に際しては、取り付け方法等の説明を行ったり、あるいは取り付け説明書等を包装に同梱する等の対策がとられているが、いずれも不十分であるという問題がある。
【０００４】
本発明は、以上の問題を解消すべくなされたものであって、一般購買者等でも、自力で十分にドア錠装置のドア体への取り付けができるようにしたドア錠装置の包装用基体、および包装体の提供を目的とする。
【課題を解決するための手段】
【０００５】
本発明によれば上記目的は、
取付対象であるドア体１の室内側壁面１ａへの対応壁２と室外側壁面１ｂへの対応壁３とを有して内部を目視可能な中空矩形筒部４を有し、
前記各対応壁２、３には、錠本体５及び錠本体５の操作部材等の部品６をドア体１への固定状態で脱離可能に装着する装着部７が形成されるドア錠装置の包装用基体８を提供することにより達成される。
【０００６】
本発明によれば、錠本体５及び錠本体５の操作部材等の部品６のドア体１への固定状態について、ドア体１内部を覗くような視点で見ることができるために、ドア錠装置を購入した一般ユーザは、錠本体５等をドア体１に固定する際のノウハウを容易かつ有効に取得することができる。したがって、取り付け取り外し作業を進めながら錠本体５等の状況を見て確認すれば、作業内容を順次容易に把握できるために、作業を誤った場合には早期に気付き、何も問題がないときにまで不安を感じることはない。
【０００７】
また、製品等の取り付け、取り外し方法の説明のための手段として包装用基体８、すなわち包装、梱包するための部材を利用することにより、購入後に包装、梱包を解くことによって、交換対象のドア体１の傍で、交換作業直前に、実際に取り付ける錠本体５等を用いて、既存のドア錠装置の取り外しや購入した錠装置５等の取り付けについて予行練習ができる。したがって、購入する店において、事前に、交換作業の説明を受けた場合などのように、記憶が不鮮明になることはない。また、実際の製品を用いて行うために、奥行き方向の感覚が難しい２次元の紙面による取り付け説明書を読む場合に比して理解が深く、操作部材等の部品６の重さや連結具合等の作業上のコツなどを体で覚えることができ、専門的用語などの知識も必要ない。さらに、実際に取り付ける製品を使用することで、一つ一つの製品で微妙に異なる寸法精度やねじ等の締め付け具合なども体感できる。
【０００８】
包装用基体８を中空で矩形の筒状にすることにより、ドア体１の室内側壁面１ａ、および室外側壁面１ｂに対応する各対応壁２、３を備えるために内部を見たときにドア体１の断面構造として把握することが可能であり、錠本体５及び操作部材等の部品６を装着する部位には装着対象のドア体１に形成されるものに一対一対応するものが装着部７として形成されることから、相互に見比べるだけで組み付け手順を容易に把握できる。なお、中空矩形筒部４の周壁に覗き穴を設け、または中空矩形筒部４を透明な材料で製造し、あるいは別途装着される拘束部材を解くことにより中空矩形筒部４を上下、左右、若しくは厚み方向に分割できるように形成した場合には、ドア錠装置の組み付け状態をより多様に目視できるようにすることができる。
【０００９】
また、本発明は、実際のドア体１では把握することのできない断面構造を提供して購入者の交換作業の理解を深めることができればよく、さらに詳細な取り付け取り外し説明等については、別途取り付け説明書等を添付して補充すればよい。この場合において、作業位置に対応して対応壁２、３等の表面などに説明書における説明との対応関係を示すガイド表記８を付することにより、現物と説明の対比を容易にすることができる。
【００１０】
一方、ドア体１に対して一定の手順を経ることで組み込まれる錠本体５及び錠本体５の操作部材等の部品６をドア体１から取り外すためには、多くの場合、組み込み作業とは逆の順序で作業を行わなければならない。この点は中空矩形筒部４についても同様であり、中空矩形筒部４からドア体１に錠本体５等を移し換える場合には、最後に中空矩形筒部４から取り外したものから順にドア体１に組み付けなければならなくなるために、組み付け途中で手順の記憶が曖昧になる可能性も否定できない。これに対し、上記ガイド表記８によって組み付け取り外し順序を明記した場合には、錠本体５等を取り外した後の中空矩形筒部４とドア体１とを見比べることにより、手順を簡単に把握することができる。なお、ガイド表記８は、上述した説明書等に代用して用いることも可能である。
【００１１】
さらに、販売する製品とセットにすることで、扉が右開きである左開きであるかや、内開きか外開きであるかなどを一見して把握することができるために、求めている製品を容易に探すことができる。
【発明の効果】
【００１２】
以上の説明から明らかなように、本発明によれば、ドア錠装置等の取り付けに対する専門知識を有しない一般購買者等であっても、自力で十分にドア錠装置のドア体への取り付けができる。したがって、本発明の包装用基体は、単品としては、錠装置の交換作業に対する不安を軽減して、防犯性の向上を促すことができ、包装体にした場合には、製品購入後の作業性という面において、製品に対する付加価値を向上させることができる。
【発明を実施するための最良の形態】
【００１３】
図１ないし図６に本発明の実施の形態を示す。この実施の形態において、ドア錠装置の包装用基体８は、ドア錠装置が装着されるケース本体（中空矩形筒部４）をベース部１１により立設させてスタンド台として構成される。
【００１４】
図１（ａ）に示すように、ケース本体４は、図１（ｂ）に示すドア錠装置の固定対象となるドア体１と同じ厚さを備えた平面視矩形形状で、筒状に形成されて内部に中空部１２を有する。ドア体１の室内側壁面１ａと室外側壁面１ｂに対応する室内側対応壁（室内側壁面への対応壁２）と室外側対応壁（室外側壁面への対応壁３）は、図１（ｃ）に示すように、取り付け姿勢においてドア錠装置がドア体１に占める広さよりもやや大きい程度の矩形形状に形成され、高さ方向におけるほぼ中央部には、後述するドア錠装置の角芯１３等の軸体１４を挿通するための軸孔１５が表裏に連通して開設される。この軸孔１５は、図１（ｄ）に示す実際のドア体１に開設される軸孔１６とほぼ同じ寸法に形成される。また、ドア体１の開放側端面１ｃに対応する開放側対応壁１７は、上記軸孔１５に対し、ドア体１における軸孔１６と開放側端面１ｃとの相対位置関係に対応する位置、すなわち、軸孔１５にドア錠装置を固定した場合においてデットボルト１８等の閉扉手段１９がドア錠装置から突出する閉扉位置をとったときに突出できる位置に形成され、この開放側対応壁１７の高さ方向ほぼ中央部には、図１（ｂ）に示すドア体１の開放側端面１ｃに閉扉手段１９を突出させるために形成される閉扉手段挿通開口２０と同様に、閉扉手段挿通開口２１が形成される。なお、図１（ａ）において閉扉手段挿通開口２１の上下に穿孔される２２、２２は、ドア体１の開放側端面１ｃに形成される錠固定ねじ挿通孔２３に対応して形成され、後述する錠固定ねじ２４をねじ込むための錠固定ねじ挿通孔である。以上のケース本体４は、一対のケース片２５、２５を組み合わせることにより形成される。
【００１５】
ケース片２５は、図２（ｂ）および（ｃ）に示すように、平面部２６の両側縁から側壁２７、２７’を直交方向に立設させて形成される平面視略コ字形状で、合成樹脂材を射出成型して形成される。平面部２６には上述した軸孔１５を形成するほぼ菱形形状の軸用開口２８が一方の側壁２７にやや近接する偏位した位置に開設され、また、この一方の側壁２７は凹状に切り欠かれて上述した閉扉手段挿通開口２１を形成する凹部２９が形成される。さらに、一対のケース片２５、２５を向かい合わせに組み付けた際に嵌合して相互を連結するとともに、ケース本体４の剛性を高めるために、両側壁２７、２７’の上端には突条３０あるいは溝３１が形成され、平面部２６からは先端に突起３２あるいは窪み３３を備えたピン状の補強柱３４が複数本膨隆される。この突条３２あるいは溝３３が側壁２７、２７’の長手方向を２分割して交互に形成され、また、補強柱３４が、平面部２６の側壁２７、２７’に隣接して対向する辺縁間に線対称に突起３２あるいは窪み３３を備えて形成されることにより、ケース片２５を側壁２７、２７’の長手方向に沿って、すなわち図１（ｃ）における上下方向に反転するだけで、同形状のケース片２５、２５同士を相互にぴったりと組み付けることができる。
【００１６】
また、前述した錠固定ねじ挿通孔２２を形成する錠固定用開口として、一方の側壁２７にはほぼ半円形状の切り欠き部３５、３５が設けられ、また、平面部２６には、この切り欠き部３５、３５の配置に合わせて膨隆し、先端がほぼ半円形状に切り欠かかれたねじ受け片３６、３６が形成される。切り欠き部３５は前述した補強柱３４同様に側壁２７、２７’の長手方向に線対称に形成され、一対のケース片２５、２５が向かい合わせに組み合わせられることにより円形の錠固定ねじ挿通孔２２を形成する。一方、同じく側壁２７、２７’の長手方向に沿って一対形成されるねじ受け片３６、３６は、錠固定ねじ２４のねじ込み方向に互い違いに配置される。このように構成することにより、図１（ｃ）および図２（ａ）に示すようにケース片２５同士を組み合わせた際には、対向方向から向き合うねじ受け片３６、３６が錠固定ねじ２４のねじ込み方向に並び、錠固定ねじ２４を螺入する際の撓みを防止でき、また、錠固定ねじ２４に対する噛み合い長さを長くすることができる。
【００１７】
一方、ベース部１１は、ケース本体４と同じく合成樹脂材の射出成型品であり、板状の基部３７の幅方向中央部から矩形形状に膨隆する嵌入部３８と、この嵌入部３８を挟むようにして基部３７に立設される一対の立ち上がり壁３９、３９とを有する。ケース本体４は、図１に示すように、中空部１２に嵌入部３８が嵌入されることにより水平方向にぐらつくことなくベース部１１に支えられ、かつ、立ち上がり壁３９、３９により挟み付けられるために、ケース片２５、２５が分離してしまうこともない。
【００１８】
さらに、ケース本体４をベース部１１から抜け止めするために、嵌入部３８の立ち上がり壁３９に面する外壁面には矩形孔からなる被係合部４０が形成される。図２（ｂ）および（ｃ）に示すように、平面部２６には内方に向かって突出する矩形突起からなる係合部４１が設けられるために、嵌入部３８と立ち上がり壁３９の間に平面部２６が圧入されることにより、係合部４１を被係合部４０に係合させることができる。係合部４１は、図１（ａ）に示すようにケース本体４の圧入先端に向かって中空部１２内への突出寸法が小さくなるように平面部２６の表面に対して傾斜して形成されるために、圧入が容易で、一方、係合後においては、中空部１２から直交方向に突出する圧入終端が被係合部４０にしっかりと係合するために、簡単に係合解除してしまうことはない。なお、上記係合部４１は、ケース本体４の上下方向におけるそれぞれの端部近傍に同様に設けられるために、ケース本体４を上下に反転させても被係合部４０に係合することが可能である。また、矩形形状の嵌入部３８を中空部１２に嵌入させて構成され、かつ、係合部４１と被係合部４０が平面部２６の幅方向に対して線対称に形成されるために、ベース部１１とケース本体４のいずれか一方を水平方向に１８０度回転させても係合部４１と被係合部４０の係合に問題はない。
【００１９】
上述した包装用基体８に固定されるドア錠装置、すなわち、軸孔１５、閉扉手段挿通開口２１、および錠固定ねじ挿通孔２２、２２を装着部７として包装用基体８に固定されるドア錠装置について、以下に、既設のドア設備における固定状態と合わせて説明する。
【００２０】
ドア設備は、図３（ａ）において２点鎖線で示すように、ドア錠装置が固定されるドア体１を図外の蝶番等によりドア枠４２に対して図に示す矢印の方向に回転操作自在に連結して構成される。ドア体１は、ドア枠４２に設けられる戸当たり４２ａに開放側端縁が当接し、ドア面がドア枠４２の表裏面とほぼ同一面上に配置されることにより閉扉され、ドア枠４２の前記開放側端縁に対向する部位に形成される錠受け４３に対し、閉扉手段１９であるデットボルト１８やラッチボルト４４を係止させることにより閉扉状態を維持し、あるいは施錠される。錠受け４３に対向してドア錠装置を配置するために、ドア体１には、開放側端面１ｃを堀り込み、あるいはドア体１内部に中空部分をつくることなどにより、開放側端面１ｃに前述した閉扉手段挿通開口２０を介して錠本体収容部４５が設けられ、また、ドア錠装置を操作するために、ドア面を貫通して、すなわち室内側壁面１ａおよび室外側壁面１ｂには、前述したようようにほぼ菱形形状の軸孔１６が開設される。なお、図３（ａ）においては、ドア体１を境に左側が室内側、右側が室外側であり、したがってドア体１は、この実施の形態において、左開きの内開きとして構成されている。
【００２１】
ドア錠装置は、前述したラッチボルト４４やデットボルト１８を備えてドア体１内部に固定される錠本体５と、この錠本体５の操作部材等の部品６を構成するドア体１の室外側壁面１ｂに装着される室外側ノブ４６と、室内側壁面１ａに装着される室内側ノブ４７と、固定リング５３とを有する。
【００２２】
錠本体５は、図３（ａ）および（ｂ）に示すように、内部に錠機構を備えてボックス形状に形成される錠ケース４８の端面に板状の化粧板４９を固定して形成され、閉扉手段挿通開口２０を覆うように化粧板４９をドア体１の開放側端面１ｃに錠固定ねじ２４で固定することによりドア錠装置収容部４８内に収容される。この収容状態において、錠ケース４８の側面、すなわちドア面への対応面の一部は前述した軸孔１６からドア体１外部に露出する。
【００２３】
錠ケース４８の側面には、図３（ｂ）に示すように、デットボルト１８やラッチボルト４４を進退動させて化粧板４９に対して突出、埋没させ、ドア体１を閉扉する操作手段として、角芯挿入口４８ａと脚片挿通口４８ｂが貫通して設けられる。角芯挿入口４８ａは、一定方向への回転により、すなわち角芯挿入口４８ａに挿入される角芯１３が一定方向に回転されることにより、図示しない錠機構を働かせてデットボルト１８を突出させ、反対方向への回転によりデットボルト１８を埋没させる。一方、脚片挿通口４８ｂは、角芯挿入口４８ａを中心にした円周上に対向して一対配置され、揺動回転により図外の付勢手段によって化粧板４９から突出する位置に付勢されたラッチボルト４４を埋没させる。なお、図２（ｂ）において角芯挿入口４８ａを挟むように配置されて錠ケース４８の表裏を貫通する孔および円弧状の切り欠きは回転規制部５０、５０’であり、後述する取付柱５１、５１に係合して室外側ノブ４６を錠ケース４８に対して回転不能にする。
【００２４】
室外側ノブ４６は、底面がドア体１の室外側壁面１ｂに当接する丸座４６ａと、この丸座４６ａに対して回転自在に連結される握り玉４６ｂとを有し、握り玉４６ｂには図示しないシリンダ錠が組み付けられる。丸座４６ａには、軸体１４として、握り玉４６ｂの反対面、すなわち室内側壁面１ａ側に突出する円筒筒状の取付柱５１が一対固定され、この取付柱５１の内部には雌ねじが外周面に形成されたねじ穴５１ａが形成される。取付柱５１は、丸座４６ａの底面を室外側壁面１ｂに当接させた組み付け状態においてドア体１内を室外側壁面１ｂ近傍まで延びる程度の長さを有し、前述した回転規制部５０に周壁を係合させることにより錠ケース４８に対して室外側ノブ４６を位置決めする。一方、握り玉４６ｂには、軸体１４として、シリンダ錠のシリンダに連結されて取付柱５１、５１の中央から室内側壁面１ａ側に突出するほぼ角柱形状の角芯１３と、この角芯１３を跨ぐように取付柱５１、５１の内側に突出する一対の脚片５２、５２とが形成される。角芯１３は、上記取付柱５１よりも長寸で、室外側ノブ４６のドア体１への組み付け状態において室内側壁面１ａから突出する程度の長さを有する。これに対し、脚片５２は上記取付柱５１よりも短寸で、上記組み付け状態において錠ケース４８の脚片挿通口４８ｂのほぼ半分の深さまで挿入される程度の長さを有する。なお、図３に示すように、角芯１３には室外側ノブ４６のシリンダの向きを調整するための溝が設けられる。
【００２５】
したがって、ドア体１の室外側壁面１ｂ側の軸孔１６から錠ケース４８の回転規制部５０、５０’に対して取付柱５１、５１を挿入、当接させ、握り玉４６ｂを回転させて丸座４６ａに対して位置を調整しながら角芯挿入口４８ａと脚片挿通口４８ｂ、４８ｂに角芯１３と脚片５２、５２を挿入することにより、室外側ノブ４６をドア体１に組み付ることができる。この状態で握り玉４６ｂを回転させると、脚片挿通口４８ｂ、４８ｂに挿入された脚片５２、５２の回転により錠本体５のラッチボルト４４がドア体１内に埋没し、また、図外の鍵を挿入してシリンダ錠のシリンダを回転させれば、角芯挿入口４８ａに挿入された角芯１３の回転によりデットボルト１８をドア体１に対して突出、埋没させることができる。なお、錠ケース４８の錠本体収容部４５への固定により回転規制部５０が菱形形状の軸孔１６の左右両端部に配置されるために、室外側ノブ４６は、取付柱５１、５１の軸孔１６周縁との当接によりドア体１に対して位置決めされ、ドア面に対する平行方向にぐらつくことはない。
【００２６】
また、上記室外側ノブ４６をドア面の直交方向に対して固定するために、室内側壁面１ａには固定リング５３が取り付けられる。図３（ａ）および図６（ａ）に示すように、固定リング５３は、金属製の薄板を円環状にして形成される基部５３ａを備え、この基部５３ａには上記取付柱５１、５１と同ピッチで一対のねじ孔５３ｂ、５３ｂが穿孔されるとともに、中央に後述する室内側ノブ４７の脚片６０、６０を挿通可能な程度の大きさの円形の開口部５３ｃが形成される。図３（ａ）に示すように、ねじ孔５３ｂの周囲は基部５３ａの底面から突出して形成されるために、軸孔１６の周縁にねじ孔５３ｂ、５３ｂの周囲を合わせることにより、固定リング５３を室内側壁面１ａおよび錠ケース４８に対して位置決めすることができる。また、上記固定リング５３の開口部５３ｃの周囲は、図３（ａ）に示すように上述したねじ孔５３ｂの周囲とは逆方向、すなわち室内側に突出し、内周面に雌ねじが刻設された被螺入壁５４が形成される。したがって、固定リング５３は、室内側壁面１ａから突出する室外側ノブ４６の角芯１３を開口部５３ｃに通し、室内側からねじ孔５３ｂを介して室外側ノブ４６の取付柱５１のねじ穴５１ａにリング固定ねじ５５を螺入することにより、基部５３ａの底面を室内側壁面１ａの軸孔１６周辺に当接させた状態でドア体１に固定することができ、これにより、室外側ノブ４６と固定リング５３とによってドア体１を厚み方向から挟み付けるようになる。また、この状態で被螺入壁５４は室内側壁面１ａから室内側に突出し、形成される雌ねじを利用してドア体１の室内側壁面１ａに室内側ノブ４７が組み付けられる。
【００２７】
室内側ノブ４７は、上述した室外側ノブ４６と外形がほぼ同寸の丸座４７ａと握り玉４７ｂとを回転自在に連結して形成され、丸座４７ａの底面からは、前述した固定リング５３の被螺入壁５４に螺入する雄ねじが設けられた円筒状の螺入壁５６と、室外側ノブ４６と同ピッチに形成される脚片５７、５７とが突出する。丸座４７ａと握り玉４７ｂには室外側ノブ４６の角芯１３に嵌合する角孔５８が形成され、握り玉４７ｂの端部には挿入された角芯１３を握り玉４７ｂに対して独立して回転操作可能なサムターン５９が形成される。したがって、室内側ノブ４７は、上述した固定リング５３の被螺入壁５４に螺入壁５６をねじ込むことにより、丸座４７ａの底面を室内側壁面１ａに当接させた状態でドア体１に組み付けることができ、これによってドア錠装置のドア体１への組み付け作業は完了する。この状態で室内側ノブ４７の脚片５７、５７は錠ケース４８の脚片挿通口４８ｂ、４８ｂに対して半分程度の深さまで挿入されて室外側ノブ４６の脚片５２、５２に対峙し、角孔５８には室外側ノブ４６の角芯１３が嵌合するために、握り玉４７ｂを回転させれば脚片５７によりラッチボルト４４を埋没させることができ、サムターン５９を回転させればデットボルト１８を進退動させることができる。
【００２８】
以上のドア錠装置を上述した手順に沿って前記包装用基体８に装着した状態を図４および図５に示す。ケース本体４には、室内側対応壁２に室内側ノブ４７が、室外側対応壁３に室外側ノブ４６が組み付けられ、ドア体１の開放側端面１ｃに対応する開放側対応壁１７には化粧板４９が固定されて、中空部１２に錠ケース４８が収容される。ドア体１への固定状態がケース本体４に再現されているために、この状態で握り玉４６ｂ、４７ｂを回せばラッチボルト４４を埋没させることができ、図外の鍵あるいはサムターン５９によりシリンダ錠のシリンダを介して、あるいは直接角芯１３を回せばデットボルト１８を進退動させることができる。また、ケース本体４の中空部１２を上方の開放端から覗き込めば、図４（ｂ）に示すように、錠ケース４８等のドア体１における固定状態や、上述した角芯１３、脚片５２、５７、取付柱５１や錠固定ねじ２４などの状態を確認することができ、リング固定ねじ５５の状態を容易に想像することができる。
【００２９】
さらに、ケース本体４における化粧板４９等の位置により、左開きあるいは右開きのドア体１用のドア錠装置であるかを、ベース部１１によりドア錠装置の上下（天地）を判別することができる。なお、図４において１０はドア錠装置を包装用基体８とともに包装する段ボール等からなる箱（被包材１０）であり、その上面には取手１０ａが設けられ、室外側ノブ４６、室内側ノブ４７、および化粧板４９に対応する各側壁面には内部を目視可能な覗き窓１０ｂが開設される。また、ドア錠装置を箱１０内部で安定させるために、ベース部１１の基部３７周縁と箱１０の側壁面との隙間には発泡スチロール等の緩衝材６０が詰められ、ケース本体４の上部は箱１０の内蓋１０ｃにより水平方向に周囲を支持される。
【００３０】
また、ドア錠装置を包装用基体８から取り外し、ドア体１に組み付けるために、ケース本体４には、図５に示すようにガイド表記９が付される。ガイド表記９は、裏面側にケース本体４に貼着される粘着層が形成されたステッカー等からなり、その表面側にはドア錠装置を包装用基体８やドア体１から取り外し、あるいは組み付ける作業についての説明書きや写真が印刷される。なお、ガイド表記９は、作業手順に合わせて複数、この実施の形態においては図５等に示すように４段階の作業手順に対応してガイド表記９ａ、ガイド表記９ｂ、ガイド表記９ｃ、ガイド表記９ｄの４種類により形成される。
【００３１】
したがって、ドア錠装置をドア体１に取り付ける際には、箱１０から包装用基体８に装着されたままのドア錠装置を取り出した後、先ず、図５に示すように、ガイド表記９ａに従い、サムターン５９等を回転させてデットボルト１８を埋没させた後、丸座４７ａをＡ方向に回転させて固定リング５３からから室内側ノブ４７を取り外す。なお、これにより包装用基体８から取り外される室内側ノブ４７、および以降の手順により取り外される錠本体５や部品６等は、既にドア体１に組み付けられ、今後取り外される既存のドア錠装置のものと区別できるように適宜管理されて保管される。
【００３２】
室内側ノブ４７の取り外しにより、包装用基体８およびドア錠装置の外観は図６（ａ）に示す状態になり、次いで、ガイド表記９ｂに従って図６（ｂ）に示すようにリング固定ねじ５５を緩めて固定リング５３を室外側ノブ４６から取り外す。この作業により室外側ノブ４６もケース本体４から取り外すことが可能になるが、作業者は中空部１２を覗くことによりこの構造を把握することが可能であり、不意に室外側ノブ４６が外れてしまうことはない。
【００３３】
この後、図５（ｂ）に示すガイド表記９ｃに従って、図６（ｂ）に示すように室外側ノブ４６が引き抜かれる。室外側ノブ４６は角芯１３を錠ケース４８の角芯挿入口４８ａから外すことでその全重量が作業者の手に負荷されることになるが、この場合においても中空部１２を覗くことでそのタイミングを把握できるために、予めこれに備えることができる。なお、図５（ｂ）において６１はシリンダ錠に鍵を挿入するための鍵穴である。
【００３４】
最後に、図５（ｂ）のガイド表記９ｄに従って錠固定ねじ２４を外し、錠ケース４８をケース本体４から引き抜くことにより、取り外し作業は終了する。引き抜かれた錠ケース４８は天地を逆にすると鍵やサムターン５９の操作方向が反転し、デットボルト１８とラッチボルト４４の位置が逆転してしまうが、上記ガイド表記９ｄ等により注意が促されるためにこれを防止することができる。
【００３５】
上述したようにドア錠装置の包装用基体８からの取り外し作業を経験することにより、ドア体１に固定されている既存のドア錠装置を取り外す際には、既にコツをつかんでいるために簡単に作業することができる。また、包装用基体８から取り外したドア錠装置をドア体１に取り付ける際には、包装用基体８をドア体１の横に並べるなどして対比し、ガイド表記９の手順に沿って今度は逆のガイド表記９ｄからガイド表記９ａの順に従って作業すればよく、不安なく迅速に作業を終えることができる。
【００３６】
また、ガイド表記９をなすステッカーは、包装用基体８から剥がした後、ドア体１に再度貼着できるように形成されるために、ガイド表記９ａ、・・９ｄのそれぞれに対応する作業を順次行う度に、各ガイド表記９ａ、・・９ｄのステッカーを包装用基体８の貼着箇所に対応するドア体１の所定箇所に貼り移すことができ、これによりガイド表記９を介して包装用基体８とドア体１を一対一対応することができる。したがって、取り外したドア錠装置をドア体１に組み付ける作業について、包装用基体８から取り外す際の作業と対比して容易に進めることができる。
【００３７】
図７ないし図１０に本発明の他の実施の形態を示す。なお、この実施の形態において、上述した実施の形態と同一の構成要素は図中に同一の符号を付して説明を省略する。
この実施の形態において、ケース本体４の室内側対応壁２と室外側対応壁３には、図７（ｂ）に示すドア体１の室外側壁面１ｂ、および図示しない室内側壁面１ａに形成される軸孔１６および錠固定ねじ挿通孔２３に対応して、図７（ａ）に示すように、軸孔１５と錠固定ねじ挿通孔２２とが装着部７として形成される。上記ドア体１の軸孔１６は、サイズの異なる２つの円を上下方向に複合させて形成され、大径部１６ａと小径部１６ｂを有し、また、上下方向に対照的に形成され、上方の軸孔１６と下方の軸孔１６’の一対が設けられる。これに対応して、ケース本体４の軸孔１５においても、大径部１５ａと小径部１５ｂが形成され、また、上方の軸孔１５と下方の軸孔１５’が設けられる。また、この実施の形態においては、ドア体１の開放側端面１ｃに閉扉手段挿通開口２０が形成されないために、ケース本体４の開放側対応壁１７にも閉扉手段挿通開口２１はない。このため、ケース片２５の平面部２６には、サイズの異なる２つの円が複合して形成される開口が上下方向に線対称に２つ並べられて軸孔１５を形成する軸用開口２８が形成されるとともに、これらの周辺に小径の円形開口が同じく線対称に３つ配置されて錠固定ねじ挿通孔２６を形成するための錠固定用開口６２が形成される。
【００３８】
ドア体１に固定され、また包装用基体８に固定されるドア錠装置は、図８（ａ）に示すようにいわゆる面付箱状であり、ドア体１の室内側壁面１ａに固定される錠本体５と、この錠本体５の操作部材等の部品６を構成して室内側壁面１ａに装着される室内側ハンドル６３と、室内側ハンドル６３に連結され、ドア体１の室外側壁面１ｂに装着される室外側ハンドル６４と、室内側壁面１ａに固定されて上記錠本体５に連結される取り付け具６６と、室外側壁面１ｂに固定される飾り板６５とを有する。
【００３９】
錠本体５は、図８（ａ）および（ｂ）に示すように、室内側となる表面側にサムターン５９を備えて箱状に形成され、デットボルト１８およびラッチボルト４４は、ドア体１の室内側において、錠本体５の一側面、すなわち錠本体５のドア体１への固定状態において開放側端面１ｃに対応する面から突出し、埋没するように進退動自在に形成される。この錠本体５の裏面側には、内部にシリンダ錠を内蔵して円筒状に形成されるシリンダ部６７が室外側壁面１ｂに向かって突出して形成され、上記デットボルト１８は、この突出先端に形成される鍵穴６１に挿入される図外の鍵の所定方向への回転により、あるいは前述したサムターン５９の所定方向への回転により，シリンダ錠のシリンダが回転されることによって進退動する。また、サムターン５９の下方には、図８（ｂ）に示すように、室内側ハンドル６３と室外側ハンドル６４を連結する上述した角芯１３が挿通される角芯挿入口４８ａが開設され、この角芯挿入口４８ａに挿入される角芯１３の所定方向への回転により上記ラッチボルト４４が埋没する。以上の錠本体５は、図８（ｂ）に示すように、室内側から錠本体５を貫通して挿入される長寸の錠固定ねじ２４が、ドア体１に固定される取り付け具６６のねじ穴に螺合することによりドア体１に組み付けられる。なお、図８（ｂ）において錠ケース４８に形成される６８は、錠固定ねじ２４が挿通され、錠本体５をドア体１に取り付けるための取付ねじ孔であり、６９は、上記ドア体１への組み付け状態において取り付け具６６を収容する収容部である。
【００４０】
取り付け具６６は、金属製の板材を折り曲げて形成され、室内側壁面１ａに裏面を当接させてドア体１に固定される表材６６ａと、該表材６６ａから延設され、ドア体１の軸孔１６を通ってドア体１内の中空部分における室内側壁面１ａ側の内壁面１ｄに表面を当接させる一対の舌片６６ｂ、６６ｂとを有する。上述した錠本体５におけるシリンダ部６７、角芯挿入口４８ａ、および取付ねじ孔６８の配置に対応して、上記表材６６ａにはシリンダ部６７が挿通されるシリンダ部挿通開口と、角芯１３が遊挿される角芯挿通開口が穿設され、また、表材６６ａ及び舌片６６ｂには錠固定ねじ２４が螺入される雌ねじが切られる。さらに、この表材６６ａには、取り付け具固定ねじ７０を通すためのねじ孔も形成され、ドア体１の室内側壁面１ａに表材６６ａの裏面を合わせ、上記ねじ孔に対して取り付け具固定ねじ７０を室内側から挿入することにより、後述する飾り板６５とともにドア体１を挟み付けてドア体１に固定される。
【００４１】
飾り板６５は、取り付け具６６と同様のシリンダ部挿通開口や角芯挿通開口が穿孔された金属製の板材であり、裏面を室外側壁面１ｂに当接させた状態でドア体１に固定され、室外側に面する表面は適宜処理されて外観が高められる。この飾り板６５の裏面には、取り付け具６６における上記取付具固定ねじ７０のねじ孔に対応する位置に、ほぼドア体１の厚みに相当する程度の長さを備えて円筒状に形成されるボス６５ａが隆起し、このボス６５ａの内周壁には、上記取り付け具固定ねじ７０に螺合する雌ねじが刻設される。
【００４２】
したがって、取り付け具６６の表材６６ａの裏面を室内側壁面１ａに合わせるとともに舌片６６ｂの表面を内壁面１ｄに合わせ、かつ、飾り板６５の裏面を室外側壁面１ｂに合わせた状態で、軸孔１６の小径部１６ｂを介して、取り付け具６６のねじ孔を通した取り付け具固定ねじ７０を飾り板６５のボス６５ａの雌ねじにねじ込むことにより、取り付け具６６と飾り板６５を同時にドア体１に組み付けることができる。また、この後、取り付け具６６のシリンダ部挿通開口、上方の軸孔１６の大径部１６ａにシリンダ部６７を挿通させ、固定状態において室内側壁面１ａから突出する表材６６ａに対して錠本体５を被せるようにして、すなわち表材６６ａを収容部６９に収容するようにして錠ケース４８の裏面を室内側壁面１ａに当接させ、錠固定ねじ２４により取り付け具６６に錠ケース４８を組み付けることによって、錠本体５をドア体１に組み付けることができる。なお、上記錠本体５の組み付けに伴い、シリンダ部６７の先端は飾り板６５のシリンダ部挿通開口に挿入され、組み付け完了状態において、飾り板６５の表面と同一面上に配置される。また、この状態において、下方の軸孔１６’の大径部１６ａ’と角芯挿入口４８ａが連通する。
【００４３】
一方、室内側ハンドル６３と室外側ハンドル６４は、図８（ａ）に示すように側面視Ｌ字形状で、室外側ハンドル６４の背面から突出する角芯１３を室内側ハンドル６３の角孔６３ａに挿入することにより相互に連結され、各々の回転操作により角芯１３を回転自在に組み付けられる。したがって、上述したように錠本体５をドア体１に組み付けた後、室内側壁面１ａに固定される錠本体５の角芯挿入口４８ａに対し、下方の軸孔１６’の大径部１６ａ’、飾り板６５および取り付け具６６の角芯挿通開口を通して室外側から角芯１３を挿入することにより、室外側ハンドル６４を錠本体５に組み付け、次いで、錠ケース４８から室内側に突出する角芯１３の挿入先端部分を室外側ハンドル６３の角孔６３ａに挿入させることにより、室内側ハンドル６３と室外側ハンドル６４をドア体１に組み付けることができる。この後、図８に示すように、室内側ハンドル６３の角孔６３ａに対して直交方向から連通するねじ孔に止めねじ７１をねじ込み、角孔６３ａに挿入された角芯１３を押圧することにより、室内側ハンドル６３と室外側ハンドル６４の分離を禁止するができ、ドア錠装置のドア体１への組み付け作業が終了する。
【００４４】
以上のドア錠装置を包装用基体８に組み付けた状態を図９および図１０に示す。包装用基体８にはドア錠装置のドア体１への固定状態が忠実に再現され、この状態で室内側ハンドル６３、あるいは室外側ハンドル６４を下方に回転させれば、角芯１３を通じて回転操作力が錠本体５に伝達されてラッチボルト４４が埋没し、鍵穴６８に図外の鍵を挿入して回転させ、あるいはサムターン５９を回転させれば、シリンダが回転してデットボルト１８が進退動する。また、中空部１２を上方から覗き込めば、錠本体５のシリンダ部６７、飾り板６５のボス７０、錠固定ねじ２４、取り付け具固定ねじ６９の状態を確認することができ、中空部１２を斜め上方から覗き込めば、角芯１３の状態を確認することができる。
【００４５】
また、この実施の形態において、ドア錠装置および包装用基体８を包装する箱１０には覗き窓１０ｂがなく、箱１０の各側壁面の外表面には、箱１０内に収容された状態のドア錠装置および包装用基体８を当該側壁面方向から撮影した写真が印刷される。一方、ガイド表記９は、箱１０の底壁面や側壁面等１０ｄの内面に印刷により付され、ケース本体４には室内・室外を区別する表記のみが表される。
【００４６】
したがって、図示しない切り取り線に沿って箱１０を展開、解体することにより、図９（ａ）に示すように、ベース部１１の下方にガイド表記９が印刷された紙面１０ｄを広げることができる。この紙面１０ｄには、図９（ｂ）に示すように、ケース本体４の室内側対応壁２と室外側対応壁３に対応して、すなわち室内側壁面２での作業のガイド表記領域７２と室外側壁面３での作業のガイド表記領域７２’に領域を区別してガイド表記９が付され、かつ、各領域が該当する作業が行われる室内側対応壁２あるいは室外側対応壁３を正面に据えたときに見やすく、読みやすい位置に配置される。
【００４７】
このガイド表記９は、図９（ｂ）に示すように、ガイド表記９ａからガイド表記９ｄにより構成される。すなわち、ガイド表記９ａはデットボルト１８を埋没させた後止めねじ７１を緩めて室内側ハンドル６３を取り外し、あるいは角芯１３を角孔６３ａに差し込んで止めねじ７１を締めることにより室内側ハンドル６３を組み付ける作業が、ガイド表記９ｂは室外側ハンドル６４を室外側に引き抜き、あるいは錠本体５の角芯挿入口４８ａに室外側対応壁２から角芯１３を差し込む作業が、ガイド表記９ｃは錠固定ねじ２４を緩めて錠本体５をドア体１から取り外し、あるいは錠固定ねじ２４を締めて錠本体５をドア体１に固定する作業が、ガイド表記９ｄは取り付け具固定ねじ６９を緩めて取り付け具６６と飾り板６５をドア体１から取り外し、あるいは取り付け具固定ねじ６９を締めて取り付け具６６と飾り板６５をドア体１に組み付ける作業を示す。なお、ガイド表記９ｄは室内側対応壁２および室外側対応壁３においての同時作業となるために、ガイド表記９は室内側対応壁２、および室外側対応壁３の双方に貼り付けられる。また、以上の作業においては、例えば、中空部１２を覗くことにより錠固定ねじ２４の長さやねじ込み深さが確認できるために、錠固定ねじ２４を締め付け、あるいは緩める際のドライバ等の工具の操作具合を把握できるし、また、角芯１３の長さや角芯挿入口４８ａ等への差し込み具合が確認できるために、室外側ハンドル６４をドア体１に組み付ける際に不安を感じることはない。
【００４８】
なお、以上においては筒状の包装用基体８の周壁に閉扉手段挿通開口２１や軸孔１５、錠固定ねじ挿通孔２２等を設ける場合を示したが、これらの他に、ドア錠装置の組み付け状態を覗くための覗き穴を設けることもできる。この場合には、上方以外にも側方等からドア錠装置の組み付け状態や、取り付け取り外し状態を観察することができ、より作業を円滑に進めることができる。
【００４９】
また、例えばベース部１１に対して、室内側対応壁２側、室外側対応壁３側毎に区別され、個々に対応する紙等からなるガイド表記９を挟持、固定するための固定手段を設けるなどして、包装用基体８に対し、ガイド表記９が付された説明書を作業位置に対応する場所に予め固定し、あるいは固定しやすいように形成することにより、包装用基体８とガイド表記９のドア体１への一対一対応を図りやすいようにすることもできる。
【００５０】
さらに、錠固定ねじ２４、リング固定ねじ５５や、取り付け具固定ねじ７０、さらには角芯１３等の軸体１４などに色違いの着色を施して、ケース本体４の中空部１２を上方から覗き込んだ際のこれらのドア体１への取り付け状態の把握を容易にすることもできる。この場合には、実際にドア体１に取り付けるためのねじ等について、別途同梱しておくことが望ましい。
【図面の簡単な説明】
【００５１】
【図１】本発明の包装用基体、およびドア体を示す図で、（ａ）は包装用基体の側面図、（ｂ）はドア錠装置を固定していない状態のドア体の側面図、（ｃ）は包装用基体の正面図、（ｄ）はドア錠装置を固定していない状態のドア体の正面図である。
【図２】包装用基体を示す図で、（ａ）は平面図、（ｂ）はケース片の正面図、（ｃ）はケース片の側面図で，（ｂ）の２Ｃ矢視図ある。
【図３】ドア錠装置を示す図で、（ａ）は分解平面図、（ｂ）は錠本体の正面図である。
【図４】本発明の包装体を示す図で、（ａ）は側面図、（ｂ）は（ａ）の４Ｂ-４Ｂ線断面図である。
【図５】包装用基体にドア錠装置を固定した状態を示す正面図あるいは背面図で、（ａ）は室内側対応壁の側から見た状態を示す図、（ｂ）は室外側対応壁の側から見た状態を示す図である。
【図６】ドア錠装置の包装用基体からの取り外し作業を説明する図で、（ａ）は室内側ノブを取り外したところを室内側壁面の側から見た状態を示す正面図、（ｂ）は固定リング、室外側ノブを取り外す状態を示す平面図である。
【図７】本発明の他の実施の形態を示す図で、（ａ）は包装用基体の正面図、（ｂ）ドア錠装置を固定していない状態のドア体の正面図、（ｃ）は包装用基体の平面図である。
【図８】ドア錠装置を示す図で、（ａ）は分解平面図、（ｂ）は錠本体の正面図である。
【図９】包装用基体、ドア錠装置、およびガイド表記の位置関係を示す図で、（ａ）は側面図、（ｂ）は平面図である。
【図１０】包装体を示す図で、（ａ）は室内側対応壁の側から見た状態を示す図、（ｂ）は室外側対応壁の側から見た状態を示す図である。
【符号の説明】
【００５２】
１    ドア体
１ａ  室内側壁面
２    室内側壁面への対応壁
１ｂ  室外側壁面
３    室外側壁面への対応壁
４    中空矩形筒部
５    錠本体
６    操作部材等の部品
７    装着部
８    包装用基体
９    ガイド表記
１０  被包材
【図１】
2005336960.tif 000003
【図２】
2005336960.tif 000004
【図３】
2005336960.tif 000005
【図４】
2005336960.tif 000006
【図５】
2005336960.tif 000007
【図６】
2005336960.tif 000008
【図７】
2005336960.tif 000009
【図８】
2005336960.tif 000010
【図９】
2005336960.tif 000011
【図１０】
2005336960.tif 000012